(57)【要約】【課題】首振りヘッドが支持支柱の上に装着されるので、装置全体の高さが高くなり、加工木材の下側を加工するには、加工木材を反転しなければならないという点である【解決手段】加工木材を搬送する搬送路の両側に、前記搬送路と平行に短いレールを装着し、該レールにそれぞれペアリングを契合し、該ベアリングのそれぞれをヘッド支持部材に装着し、該ヘッド支持部材の前記搬送路側の側面に首振りヘッドを上下に移動するように支持するレールを装着するものである。【選択図】図１
2015223694.tif 000002
【特許請求の範囲】
【請求項１】
加工木材を搬送する搬送路と、該搬送路の両側にそれぞれ装着された台座と、該台座に前記搬送路と並行に装着されたレールと、該レールにそれぞれ契合されたベアリングと、該ベアリングにそれぞれ固定されたコラムと、該それぞれのコラムに縦方向に装着されたレールと、該レールに契合するベアリングと、該ベアリングを支持する首振りヘッド支持部材と、該首振りヘッド支持部材に固着された首振りヘッドとからなり、前記搬送路を搬送される加工木材を両側の首振りヘッドで加工することを特徴とするプレカット特殊加工機。
【発明の詳細な説明】
【技術分野】
【０００１】
本発明は、搬送路を搬送される加工木材を反転することなく、加工木材の上面と下面をともに加工することができるプレカット特殊加工機に関するものである。
【背景技術】
【０００２】
従来、５軸加工機を使用したプレカット加工機としては、図６、図７、図８に示すように、ベース１の上に支持支柱２，３、４，５が固着され、支持支柱２，３の上に横支持部材６が装着され、支持支柱３，４の上に横支持部材７が固定され、支持支柱４、５の上に横支持部材８が固着され、支持支柱５，２の上に横支持部材９が固定され、横支持部材６の上部にレール１０が装着され、このレール１０にベアリング１１，１２が移動可能に装着され、これらのベアリング１１，１２は支持部材１３、１４にそれぞれ装着され、横支持部材６の端部にモータ１５が支持部材１６で固定され、このモータ１５の回転軸に回転ねじ１７が接続され、回転ねじ１７の多端は支持部材１９で支持され、この回転ねじ１７とボス１８が契合され、このボス１８は支持部材１３，１４が固定される固定部材２０に固定することによって、モータ１６の回転で、支持部材１３、１４は横支持部材６に沿って移動され、又、支持部材１３、１４の上面にそれぞれレール２１、２２がそれぞれ固定され、レール２１にベアリング２３，２４が契合され、ベアリング２３，２４はヘッド支持部材２５に装着され、ヘッド支持部材２５に加工ヘッド２６が装着されている。
【０００３】
又、加工木材は搬送路２７のローラ２８で搬送され、ベース１の上の支持部材３０上に搬送レール３１と契合するベアリング３２を支持するストッパ支持部材３３をモータ３４で移動することによつて位置決め移動され、搬送路２７の上で加工木材を位置決めするストッパ２９はストッパ支持部材３３に固定された腕木部材３５に支点３６で回動可能に支持された回動支持部材３６の先端に支持され、又、腕木部材３５にシリンダ３７の作動軸３８が接続され、このシリンダ３７でストッパ２９を上下し、さらに、加工木材を位置決めする位置決め部材３９，４０は搬送路２７のローラ２８の両側に装着され、ローラ２８はベース１の上の搬送路支持部材４１の上に装着されている。
【０００４】
このように構成されたプレカット加工機では、支柱４，５の上に装着された横支持部材６の上にヘッド支持部材１４装着され、ヘッド支持部材１４に首振りヘッド１８が装着されているので、全体に高さが高くなり、又、加工木材の下側を加工するには、加工木材を反転しなければならないという問題があった。
【先行技術文献】
【特許文献】
【０００５】
【特許文献１】特開２００５−１１９１６３号公報
【発明の概要】
【発明が解決しようとする課題】
【０００６】
解決しようとする問題点は、全体に高さが高くなり、加工木材の下側を加工するには、加工木材を反転しなければならないという点である。
【課題を解決するための手段】
【０００７】
本発明は、加工木材を搬送する搬送路の両側に、前記搬送路と平行に短いレールを装着し、該レールにそれぞれペアリングを契合し、該ベアリングのそれぞれをヘッド支持部材に装着し、該ヘッド支持部材の前記搬送路側の側面に加工ヘッドを上下に移動するように支持するすることを最も主要な特徴とする。
【発明の効果】
【０００８】
本発明は、加工ヘッドを加工木材の搬送方向に対して、両側に２つ装着することにより、加工能力が高くなり、加工木材を反転することなく、加工木材の複数面を加工することができ、又、装置の高さが低くなるという利点がある。
【図面の簡単な説明】
【０００９】
【図１】図１は本発明のプレカット特殊加工機の平面図である。（実施例１）
【図２】図２は図１のプレカット特殊加工機の側面図である。
【図３】図３は図１のプレカット特殊加工機の搬送方向から見た図である。
【図４】図４は図１のプレカット特殊加工機の側面図である。
【図５】図５はプレカット特殊加工機の図３の搬送方向から見た図である。
【図６】図６は従来のプレカット加工機の側面図である。
【図７】図７は図６のプレカット加工機の加工木材の搬送方向に見た図である。
【図８】図８は図６のプレカット加工機の加工木材の搬入方向に見た図である。
【発明を実施するための形態】
【００１０】
本発明は、加工木材を搬送する搬送路の両側にそれぞれ台座が装着され、該台座に前記搬送路と平行に短いレールを装着し、該レールにそれぞれペアリングを契合し、該ベアリングのそれぞれをコラムに装着し、該コラムに上下方向にレールを装着子、該レールにベアリングを契合し、該ベアリングをヘッド支持部材に装着し、該ヘッド支持部材の前記搬送路側の側面に加工ヘッドを上下に移動するように支持するすることを最も主要な特徴とする。
【実施例１】
【００１１】
図１は、本発明のプレカット特殊加工機の１実施例の平面図、図２は図１のプレカット特殊加工機の側面図、図３は図１のプレカット特殊加工機の搬送方向から見た図、図４は図１のプレカット特殊加工機の側面図、図５はプレカット特殊加工機の図３の搬送方向から見た図で、加工木材４２を搬送する搬送路４３は加工位置で搬入路４４ａと搬出路４４ｂに分かれて固定され、これらの搬入路４４ａと搬出路４４ｂの間にサーボモータ４５で搬送路に沿って移動される分割搬送路４４ｃ、４４ｄが装着され、搬入路４４ａと分割搬送路４４ｃの間及び搬出路４４ｂと分割搬送路４４ｄの間に回動搬送路４４ｅ、４４ｆが装着されている。
【００１２】
分割搬送路４４ｃ、４４ｄの両側にそれぞれ台座４６ａ、４６ｂが固定され、これらの台座４６ａ、４６ｂの上面に搬送路４３とそれぞれ平行に短いレール４７ａ、４７ｂが固定され、これらのレール４７ａ、４７ｂにベアリング４８ａ、４８ｂが契合され、ベアリング４８ａ、４８ｂがコラム４９ａ、４９ｂに固定されることにより、コラム４９ａ、４９ｂはレール４７ａ、４７ｂに沿って移動可能に構成され、又、コラム４９ａ、４９ｂにそれぞれ縦にレール５０ａ、５０ｂがそれぞれ装着され、レール５０ａ、５０ｂにそれぞれベアリング５１ａ、５１ｂが契合され、ベアリング５１ａ、５１ｂは固着台５２ａ、５２ｂに固着され、固着台５２ａ、５２ｂに首振りヘッド支持部５３ａ、５３ｂが固着され、首振りヘッド支持部５３ａ、５３ｂの先端にそれぞれ第１、第２の首振りヘッド５４ａ、５４ｂが固着されている。
【００１３】
このように構成された本発明のプレカット特殊加工機では、搬入路４４ａに加工木材４２が搬入され、分割搬送路４４ｃ、４４ｄに搬送されて、分割搬送路４４ａ、４４ｂに加工位置に搬送されると、図４に示すように、加工木材４２の上部の固定部材５５が下降して、加工木材４２が固定され、第１、第２の首振りヘッド５４ａ、５４ｂが作動して、加工木材４２の上面及び進行方向前面を第１の首振りヘッド５４ａで加工し、加工木材４２の下面および後方を第２の首振りヘッド５４ｂで加工することができる。
【００１４】
本発明では、このように、分割搬送路４４ａ、４４ｂに加工木材が搬送されることにより第１、第２の首振りヘッド５４ａ、５４ｂで加工木材の前後左右を加工することができるので、１本あたりの加工速度が速くなり、加工木材４２を反転することなく、加工木材の複数面を加工することができ、又、装置の高さが低くなり、工場の建物が低くてもよいるという利点がある。
【産業上の利用可能性】
【００１５】
加工木材を搬送する搬送路の両側に、前記搬送路と平行に短いレールを装着し、該短いレールにそれぞれペアリングを契合し、該ベアリングのそれぞれをヘッド支持部材に装着し、該ヘッド支持部材の前記搬送路側の側面に第１，第２の首振り加工ヘッドを上下に移動して、加工木材移動方向全部及び後部を一度に加工する。
【符号の説明】
【００１６】
４２                  加工木材
４３                  搬送路
４４ａ                搬入路
４４ｂ                搬出路
４４ｃ、４４ｄ        分割搬送路
４６ａ、４６ｂ        台座
４７ａ、４７ｂ        レール
４８ａ、４８Ｂ        ベアリング
４９ａ、４９ｂ        コラム
５０ａ、５０ｂ        レール
５１ａ、５１ｂ        ベアリング
５２ａ、５２ｂ        固着台
５３ａ、５３ｂ        首振りヘッド支持部
５４ａ、５４ｂ        第１、第２の首振りヘッド
【図１】
2015223694.tif 000003
【図２】
2015223694.tif 000004
【図３】
2015223694.tif 000005
【図４】
2015223694.tif 000006
【図５】
2015223694.tif 000007
【図６】
2015223694.tif 000008
【図７】
2015223694.tif 000009
【図８】
2015223694.tif 000010